(57)【要約】【課題】熱延スラブデスケーリング装置におけるスラブのリバース搬送に対応した水切り板構造として、アクチュエータを用いることなく、簡易な構造によって、スラブをリバース搬送する際の水切り板の損傷を抑止することができる水切り板構造を提供する。【解決手段】熱延スラブ１の表面に生成したスケールを高圧のデスケーリング水の噴射によって除去するためのデスケーリングノズル１１と、デスケーリングノズル１１から噴射されたデスケーリング水の水切りを行うための水切り板２０を備えたデスケーリング装置において、熱延スラブ１のリバース搬送に対応するために、水切り板本体２１が、上部水切り板本体２１ａと下部水切り板本体２１ｂに分割されており、下部水切り板本体２１ｂが上部水切り板本体２１ａに対して旋回支点３１を中心にして旋回できるようになっている。【選択図】図１
2010201454.tif 000002
【特許請求の範囲】
【請求項１】
熱延スラブの表面に生成したスケールを高圧のデスケーリング水の噴射によって除去するためのデスケーリングノズルと、該デスケーリングノズルから噴射されたデスケーリング水の水切りを行うための水切り板を備えたデスケーリング装置における、熱延スラブのリバース搬送に対応した水切り板の構造であって、
水切り板は、搬送される熱延スラブの上面より高い位置で、上部水切り板と下部水切り板に分割されており、下部水切り板が上部水切り板に対して旋回できるようになっていることを特徴とする熱延スラブデスケーリング装置におけるリバース搬送に対応した水切り板構造。
【請求項２】
加えて、水切り板の旋回軸を支持する旋回軸支持部が長穴になっていることを特徴とする請求項１に記載の熱延スラブデスケーリング装置におけるリバース搬送に対応した水切り板構造。
【請求項３】
熱延スラブの表面に生成したスケールを高圧のデスケーリング水の噴射によって除去するためのデスケーリングノズルと、該デスケーリングノズルから噴射されたデスケーリング水の水切りを行うための水切り板を備えたデスケーリング装置における、熱延スラブのリバース搬送に対応した水切り板の構造であって、
水切り板の旋回軸を支持する旋回軸支持部が長穴になっていることを特徴とする熱延スラブデスケーリング装置におけるリバース搬送に対応した水切り板構造。
【請求項４】
熱延スラブの表面に生成したスケールを高圧のデスケーリング水の噴射によって除去するためのデスケーリングノズルと、該デスケーリングノズルから噴射されたデスケーリング水の水切りを行うための水切り板を備えたデスケーリング装置における、熱延スラブのリバース搬送に対応した水切り板の構造であって、
水切り板は、水切り板をデスケーリングノズルの逆側に向かって旋回させようとするデスケーリング水の圧力に対抗できる重量を備えていることを特徴とする熱延スラブデスケーリング装置におけるリバース搬送に対応した水切り板構造。
【請求項５】
熱延スラブの表面に生成したスケールを高圧のデスケーリング水の噴射によって除去するためのデスケーリングノズルと、該デスケーリングノズルから噴射されたデスケーリング水の水切りを行うための水切り板を備えたデスケーリング装置における、熱延スラブのリバース搬送に対応した水切り板の構造であって、
水切り板は、デスケーリングノズルの逆側に旋回抵抗板を備えており、該旋回抵抗板は、水切り板に重なるように設置されて、その下端が熱延スラブの上面より高い位置にあり、水切り板が鉛直方向からデスケーリングノズルの逆側に向かって旋回する際に、水切り板に押されながら一緒に鉛直方向からデスケーリングノズルの逆側に向かって旋回することによって、水切り板の旋回抵抗となることを特徴とする熱延スラブデスケーリング装置におけるリバース搬送に対応した水切り板構造。
【発明の詳細な説明】
【技術分野】
【０００１】
本発明は、熱延スラブデスケーリング装置における水切り板構造に関するものである。
【背景技術】
【０００２】
熱間圧延ラインで圧延されるスラブ（熱間スラブ）には、加熱炉抽出後の冷却過程においてスケールが生成される。このスケールを除去する為に設置されるのがデスケーリング装置であり、高圧水（デスケーリング水）をスラブに噴射し、その圧力でスケールを除去する装置がよく知られている。この方式のデスケーリング装置では、デスケーリング水のデスケーリングフードからの飛散を防止するために、スラブの表面に接触して水切りを行う水切り板を設置する必要がある。
【０００３】
図５は、このようなデスケーリング装置の一例を示すものであり、熱間圧延機（図示せず）に向かってローラテーブル２上を下流側に搬送されるスラブ１の上面１ａに対して、上方から上流側に向けて斜めにデスケーリング水を噴射する上デスケーリングノズル１１と、同じくスラブ１の下面１ｂに対して、斜め下方から上流側に向けて斜めにデスケーリング水を噴射する下デスケーリングノズル１２とを備えているとともに、上デスケーリングノズル１１の上流側において、スラブ１の上面１ａに接触して、上デスケーリングノズル１１から噴射されたデスケーリング水の水切りを行う水切り板２０と、その水切りしたデスケーリング水を回収する集水樋２５を備えている。
【０００４】
ここで、水切り板２０は、水切り板本体２１と、水切り板本体２１の先端に取り付けられて、スラブ１の上面１ａに接触して回転する水切り板先端回転部２２と、水切り板２０をスラブ１の搬送方向に旋回可能にする旋回軸２３と、旋回軸２３を支持する旋回支持部２４を有している。
【０００５】
そして、水切り板２０は、スラブ１が通過していない時には、図５中に破線で示すように、鉛直方向に向いて位置しており、スラブ１が熱間圧延機に向かって下流側に通過する時には、図５中に実線で示すように、旋回軸２３を支点にして下流側に向かって旋回し、水切り板先端回転部２２がスラブ１の上面１ａに接触する。
【０００６】
しかし、このような従来のデスケーリング装置では、水切り板２０がスラブ１の一方向搬送にしか対応できず、リバース圧延するためにスラブ１を搬送リバース搬送させると、スラブ１により水切り板２０が破損する可能性がある。
【０００７】
すなわち、スラブ１が熱間圧延機に向かって下流側に一方向にしか搬送されない場合は、水切り板２０が鉛直方向から下流側に向かってのみ旋回できるようにして、鉛直方向から上流側に向かっては旋回できないようにストッパーを設けておけばよいが、スラブ１がリバース搬送される場合は、図６に示すように、スラブ１が熱間圧延機に向かって下流側に搬送される時は、水切り板２０が鉛直方向から下流側に向かって旋回でき、スラブ１が熱間圧延機から離れるように上流側に搬送される時は、水切り板２０が鉛直方向から上流側に向かって旋回できるようにする必要がある。したがって、水切り板２０は、鉛直方向から下流側（上デスケーリングノズル１１側）に向かって旋回できるだけでなく、鉛直方向から上流側（上デスケーリングノズル１１と逆側）に向かっても旋回できるようにすることになる。
【０００８】
その結果、上デスケーリングノズル１１から噴射されたデスケーリング水の圧力によって、水切り板２０が上流側に向かって旋回するようになり、図７（ａ）に示すように、上流側に向かって旋回する水切り板２０に、下流側に向かって搬送されるスラブ１の先端が衝突するようになる。その後、図７（ｂ）に示すように、水切り板２０が下流側に向かって旋回する。このようなスラブ１先端の水切り板２０への衝突により、水切り板２０に大きな衝撃力が加わり、水切り板２０（特に、旋回軸２３や旋回軸支持部２４）が破損する可能性がある。
【０００９】
なお、上記では、熱間圧延機の上流側にデスケーリング装置が設置されている熱間圧延ラインにおいて、リバース圧延のためにスラブをリバース搬送する場合を念頭において述べたが、最初からリバース圧延を前提にして、熱間圧延機の下流側にもデスケーリング装置が設置されている熱間圧延ラインでは、熱間圧延機の下流側のデスケーリング装置にも同様の問題が生じる。
【００１０】
そこで、特許文献１においては、デスケーリング装置の水切り板をアクチュエータで操作することで、スラブが熱間圧延機に向かって搬送される時は、水切り板がスラブ表面と接触して水切り機能を持ち、スラブが熱間圧延機から離れるように搬送される時は、水切り板を跳ね上げて開放状態にすることで水切り板の破損を防止するようにしている。
【先行技術文献】
【特許文献】
【００１１】
【特許文献１】特開平７−０５１７３１号公報
【発明の概要】
【発明が解決しようとする課題】
【００１２】
しかし、特許文献１に記載の技術では、アクチュエータを設置しているので設備費が高価であるばかりでなく、アクチュエータが故障した場合にスラブがデスケーリング装置内で止まってしまう危険性を有している。
【００１３】
本発明は、上記のような事情に鑑みてなされたものであり、熱延スラブデスケーリング装置におけるスラブのリバース搬送に対応した水切り板構造として、アクチュエータを用いることなく、簡易な構造によって、スラブをリバース搬送する際の水切り板の損傷を抑止することができる水切り板構造を提供することを目的としている。
【課題を解決するための手段】
【００１４】
上記課題を解決するために、本発明は以下の特徴を有する。
【００１５】
［１］熱延スラブの表面に生成したスケールを高圧のデスケーリング水の噴射によって除去するためのデスケーリングノズルと、該デスケーリングノズルから噴射されたデスケーリング水の水切りを行うための水切り板を備えたデスケーリング装置における、熱延スラブのリバース搬送に対応した水切り板の構造であって、
水切り板は、搬送される熱延スラブの上面より高い位置で、上部水切り板と下部水切り板に分割されており、下部水切り板が上部水切り板に対して旋回できるようになっていることを特徴とする熱延スラブデスケーリング装置におけるリバース搬送に対応した水切り板構造。
【００１６】
［２］加えて、水切り板の旋回軸を支持する旋回軸支持部が長穴になっていることを特徴とする前記［１］に記載の熱延スラブデスケーリング装置におけるリバース搬送に対応した水切り板構造。
【００１７】
［３］熱延スラブの表面に生成したスケールを高圧のデスケーリング水の噴射によって除去するためのデスケーリングノズルと、該デスケーリングノズルから噴射されたデスケーリング水の水切りを行うための水切り板を備えたデスケーリング装置における、熱延スラブのリバース搬送に対応した水切り板の構造であって、
水切り板の旋回軸を支持する旋回軸支持部が長穴になっていることを特徴とする熱延スラブデスケーリング装置におけるリバース搬送に対応した水切り板構造。
【００１８】
［４］熱延スラブの表面に生成したスケールを高圧のデスケーリング水の噴射によって除去するためのデスケーリングノズルと、該デスケーリングノズルから噴射されたデスケーリング水の水切りを行うための水切り板を備えたデスケーリング装置における、熱延スラブのリバース搬送に対応した水切り板の構造であって、
水切り板は、水切り板をデスケーリングノズルの逆側に向かって旋回させようとするデスケーリング水の圧力に対抗できる重量を備えていることを特徴とする熱延スラブデスケーリング装置におけるリバース搬送に対応した水切り板構造。
【００１９】
［５］熱延スラブの表面に生成したスケールを高圧のデスケーリング水の噴射によって除去するためのデスケーリングノズルと、該デスケーリングノズルから噴射されたデスケーリング水の水切りを行うための水切り板を備えたデスケーリング装置における、熱延スラブのリバース搬送に対応した水切り板の構造であって、
水切り板は、デスケーリングノズルの逆側に旋回抵抗板を備えており、該旋回抵抗板は、水切り板に重なるように設置されて、その下端が熱延スラブの上面より高い位置にあり、水切り板が鉛直方向からデスケーリングノズルの逆側に向かって旋回する際に、水切り板に押されながら一緒に鉛直方向からデスケーリングノズルの逆側に向かって旋回することによって、水切り板の旋回抵抗となることを特徴とする熱延スラブデスケーリング装置におけるリバース搬送に対応した水切り板構造。
【発明の効果】
【００２０】
本発明においては、熱延スラブデスケーリング装置におけるスラブのリバース搬送に対応した水切り板構造として、アクチュエータを用いることなく、簡易な構造によって、スラブをリバース搬送する際の水切り板の損傷を抑止することができる。
【図面の簡単な説明】
【００２１】
【図１】本発明の第１の実施形態を示す図である。
【図２】本発明の第２の実施形態を示す図である。
【図３】本発明の第３の実施形態を示す図である。
【図４】本発明の第４の実施形態を示す図である。
【図５】従来のデスケーリング装置を示す図である。
【図６】従来のデスケーリング装置をレバース搬送に適用する場合の説明図である。
【図７】従来のデスケーリング装置をレバース搬送に適用した場合の問題点を示す図である。
【発明を実施するための形態】
【００２２】
本発明の実施形態を図面に基づいて説明する。なお、ここでは、熱間圧延機の上流側にデスケーリング装置が設置されていることを前提にして述べるが、もちろん、熱間圧延機の下流側にデスケーリング装置が設置されている場合でも同様である。
【００２３】
そして、以下で述べる各実施形態においては、デスケーリング装置の基本的構造は、スラブをリバース搬送に対応するために、前述の図６に示した構造になっている。
【００２４】
すなわち、熱間圧延機（図示せず）に向かってローラテーブル２上を下流側に搬送されるスラブ１の上面１ａに対して、上方から上流側に向けて斜めにデスケーリング水を噴射する上デスケーリングノズル１１と、同じくスラブ１の下面１ｂに対して、斜め下方から上流側に向けて斜めにデスケーリング水を噴射する下デスケーリングノズル１２とを備えているとともに、上デスケーリングノズル１１の上流側において、スラブ１の上面１ａに接触して、上デスケーリングノズル１１から噴射されたデスケーリング水の水切りを行う水切り板２０と、その水切りしたデスケーリング水を回収する集水樋２５を備えている。
【００２５】
この水切り板２０は、水切り板本体２１と、水切り板本体２１の先端に取り付けられて、スラブ１の上面１ａに接触して回転する水切り板先端回転部２２と、水切り板２０をスラブ１の搬送方向に旋回可能にする旋回軸２３と、旋回軸２３を支持する旋回支持部２４を有している。
【００２６】
そして、水切り板２０は、スラブ１が通過していない時には、本来は、図６中に破線で示すように、鉛直方向に向いて位置するようになっている。そして、図６中に実線で示すように、スラブ１が熱間圧延機に向かって下流側に搬送される時は、水切り板２０が旋回軸２３を支点にして下流側に向かって旋回し、スラブ１が熱間圧延機から離れるように上流側に搬送される時は、水切り板２０が旋回軸２３を支点にして上流側に向かって旋回するようになっている。
【００２７】
ただし、このようなデスケーリング装置の基本的構造では、前述の図７（ａ）に示したように、上デスケーリングノズル１１から噴射されたデスケーリング水の圧力によって、水切り板２０が上流側に向かって旋回するようになり、上流側に向かって旋回する水切り板２０に下流側に向かって搬送されるスラブ１の先端が衝突して、水切り板２０に大きな衝撃力が加わり、水切り板２０（特に、旋回軸２３や旋回軸支持部２４）が破損する可能性がある。
【００２８】
そこで、以下の各実施形態では、それぞれ、水切り板２０に大きな衝撃力が加わらないような水切り板構造にして、水切り板２０の破損を防止するようにしている。
【００２９】
（実施形態１）
本発明の実施形態１を図１に示す。
【００３０】
この実施形態１では、前述した基本的構造のデスケーリング装置において、図１に示すように、水切り板本体２１が、スラブ１の上面１ａより高い位置で、上部水切り板本体２１ａと下部水切り板本体２１ｂに分割されており、下部水切り板本体２１ｂが上部水切り板本体２１ａに対して旋回支点３１を中心にして旋回できるようになっている。
【００３１】
このような分割された水切り板本体（上部水切り板本体２１ａ、下部水切り板本体２１ｂ）を有する水切り板２０Ａとすることによって、水切り板２０Ａがデスケーリング水の圧力を受けた場合に、図１（ａ）に示すように、旋回支点３１を中心にして下部水切り板本体２１ｂが上流側に向かって旋回するようになる。したがって、下流側に向かって搬送されるスラブ１の先端が下部水切り板本体２１ｂと衝突しても、下部水切り板本体２１ｂが旋回支点３１を中心にして下流側に向かって旋回することで、さらに、旋回支点３１自体も旋回軸支持部２４を中心に旋回することで、水切り板２０Ａ（特に、旋回軸２３や旋回軸支持部２４）に加わる衝撃力が緩和される。これにより、水切り板２０Ａの破損を防止することができる。
【００３２】
そして、スラブ１の通過にともなって、図１（ｂ）に示すように、通常のデスケーリング状態となる。
【００３３】
このようにして、この実施形態１においては、アクチュエータを用いることなく、簡易な構造によって、スラブをリバース搬送する際の水切り板の損傷を抑止することができる。
【００３４】
（実施形態２）
本発明の実施形態２を図２に示す。
【００３５】
この実施形態２では、前述した基本的構造のデスケーリング装置において、図２に示すように、水切り板２０の旋回軸２３を支持する旋回軸支持部が長穴の旋回軸支持部３３になっている。
【００３６】
このような長穴の旋回軸支持部３３を有する水切り板２０Ｂとすることによって、水切り板２０Ｂがデスケーリング水の圧力で上流側に向かって旋回して、下流側に向かって搬送されるスラブ１の先端と接触した場合に、図２（ａ）に示すように、長穴の旋回軸支持部３３の効果で、水切り板本体２１が上方に移動するので、水切り板２０Ｂ（特に、旋回軸２３や旋回軸支持部３３）に加わる衝撃力が緩和される。これにより、水切り板２０Ｂの破損を防止することができる。
【００３７】
そして、スラブ１の通過にともなって、図２（ｂ）に示すように、通常のデスケーリング状態となる。
【００３８】
このようにして、この実施形態２においては、アクチュエータを用いることなく、簡易な構造によって、スラブをリバース搬送する際の水切り板の損傷を抑止することができる。
【００３９】
（実施形態３）
本発明の実施形態３を図３に示す。
【００４０】
この実施形態３では、前述した基本的構造のデスケーリング装置において、水切り板２０が、水切り板２０を上流側に向かって旋回させようとするデスケーリング水の圧力に対抗できる重量を備えるようにしたものであり、例えば、図３に示すように、水切り板本体２１に、所定重量のウエイト３５が取り付けられている。なお、水切り板本体２１自体の重量をデスケーリング水の圧力に対抗できる重量としてもよい。
【００４１】
このような、デスケーリング水の圧力に対抗できる重量を備えた水切り板２０Ｃとすることによって、水切り板２０Ｃがデスケーリング水の圧力を受けた場合でも、図３（ａ）に示すように、水切り板２０Ｃは上流側に向かって旋回し難くなるので、前述の図７（ａ）で示したような、上流側に向かって旋回する水切り板２０に下流側に向かって搬送されるスラブ１の先端が衝突するという問題が緩和される。これにより、水切り板２０Ｃの破損を防止することができる。
【００４２】
そして、スラブ１の通過にともなって、図３（ｂ）に示すように、通常のデスケーリング状態となる。
【００４３】
このようにして、この実施形態３においては、アクチュエータを用いることなく、簡易な構造によって、スラブをリバース搬送する際の水切り板の損傷を抑止することができる。
【００４４】
（実施形態４）
本発明の実施形態４を図４に示す。
【００４５】
この実施形態４では、前述した基本的構造のデスケーリング装置において、水切り板２０が、水切り板２０を上流側に向かって旋回させようとするデスケーリング水の圧力に対抗できるように、水切り板本体２１の上流側に旋回抵抗板３７を備えている。この旋回抵抗板３７は、水切り板本体２１に重なるように設置されて、水切り板本体２１が上流側に向かって旋回する際に、水切り板本体２１に押されながら旋回支点３８を中心にして一緒に上流側に向かって旋回するようになっている。なお、旋回抵抗板３７は、スラブ１と接触しないように、その下端がスラブ１の上面１ａより高い位置になっている。
【００４６】
このような旋回抵抗板３７を備えた水切り板２０Ｄとすることによって、水切り板２０Ｄがデスケーリング水の圧力を受けた場合でも、図４（ａ）に示すように、旋回抵抗板３７の旋回抵抗によって、水切り板２０Ｄは上流側に向かって旋回し難くなるので、前述の図７（ａ）で示したような、上流側に向かって旋回する水切り板２０に下流側に向かって搬送されるスラブ１の先端が衝突するという問題が緩和される。これにより、水切り板２０Ｄの破損を防止することができる。
【００４７】
そして、スラブ１の通過にともなって、図４（ｂ）に示すように、通常のデスケーリング状態となる。
【００４８】
このようにして、この実施形態４においては、アクチュエータを用いることなく、簡易な構造によって、スラブをリバース搬送する際の水切り板の損傷を抑止することができる。
【００４９】
なお、上記の実施形態１〜４は、それぞれ単独でも良好な効果が得られるが、適宜２つ以上組み合わせることで、より一層良好な効果を得ることも可能である。
【００５０】
特に、実施形態１（水切り板本体を分割する）に実施形態２（旋回軸支持部を長穴にする）を組み合わせることがより好適な組み合わせである。
【００５１】
また、実施形態３（水切り板本体の重量を大きくする）または実施形態４（水切り板本体に旋回抵抗板を隣接する）に実施形態２（旋回軸支持部を長穴にする）を組み合わせることも好適な組み合わせである。
【符号の説明】
【００５２】
１  スラブ（熱間スラブ）
１ａ  スラブの上面
１ｂ  スラブの下面
２  ローラテーブル
１１ａ  上デスケーリングノズル
１１ｂ  下デスケーリングノズル
２０  水切り板
２０Ａ  水切り板
２０Ｂ  水切り板
２０Ｃ  水切り板
２０Ｄ  水切り板
２１  水切り板本体
２１ａ  上部水切り板本体
２１ｂ  下部水切り板本体
２２  水切り板先端回転体
２３  旋回軸
２４  旋回軸支持部
２５  集水樋
３１  旋回支点
３３  旋回軸支持部（長穴）
３５  ウエイト
３７  旋回抵抗板
３８  旋回支点
【図１】
2010201454.tif 000003
【図２】
2010201454.tif 000004
【図３】
2010201454.tif 000005
【図４】
2010201454.tif 000006
【図５】
2010201454.tif 000007
【図６】
2010201454.tif 000008
【図７】
2010201454.tif 000009